(57)【要約】【課題】ＰＣ信号の干渉による画質悪化が生じていた。【解決手段】複数の入力系統を有し、各入力系統を介してパソコン信号を含む複数種類の入力信号を受け付け可能なテレビジョンにおいて、パソコン信号の同期信号を検知した場合に、パソコン信号をデコードする映像処理部と、出力する論理レベルを入力信号の切換指示に応じて異ならせる制御部であって、切換指示がパソコン信号を指示する場合とパソコン信号以外の入力信号を指示する場合とで出力する論理レベルを異ならせる制御部と、映像処理部の前段に配設されて、パソコン信号を受け付けるための入力端子からパソコン信号の同期信号を入力するとともに、制御部が出力する論理レベルを入力し、入力した論理レベルがパソコン信号に対応する論理レベルである場合にのみ、入力した同期信号を後段の映像処理部に対して出力するバッファ回路とを備える。【選択図】図２
2012004980.tif 000002
【特許請求の範囲】
【請求項１】
複数の入力系統を有し、各入力系統を介してパソコン信号を含む複数種類の入力信号を受け付け可能なテレビジョンにおいて、
上記パソコン信号の同期信号を検知した場合に、上記パソコン信号をデコードする映像処理部と、
出力する論理レベルを入力信号の切換指示に応じて異ならせる制御部であって、当該切換指示が上記パソコン信号を指示する場合と上記パソコン信号以外の入力信号を指示する場合とで出力する論理レベルを異ならせる制御部と、
上記映像処理部の前段に配設されて、上記パソコン信号を受け付けるための入力端子から上記パソコン信号の同期信号を入力するとともに、上記制御部が出力する論理レベルを入力し、入力した論理レベルが上記パソコン信号に対応する論理レベルである場合にのみ上記入力した同期信号を後段の上記映像処理部に対して出力するバッファ回路と、
を備えることを特徴とするテレビジョン。
【請求項２】
複数の入力系統を有し、各入力系統を介してパソコン信号を含む複数種類の入力信号を受け付け可能なテレビジョンであって、所定の映像処理を行なう映像処理部と、映像処理部により生成された映像信号を記録するためのフレームメモリと、フレームメモリに記録された映像信号に基づいて液晶パネルを駆動するパネル駆動部と、パネル駆動部によって駆動されることにより映像信号に応じた映像を表示する上記液晶パネルとを備えるテレビジョンにおいて、
上記パソコン信号の水平同期信号を検知した場合に、上記パソコン信号をデコードする上記映像処理部と、
リモートコントローラの操作による入力信号の切換指示に応じて、出力する論理レベルを異ならせるＣＰＵであって、当該切換指示が上記パソコン信号を指示する場合にはハイレベルに対応する信号を出力し、当該切換指示が上記パソコン信号以外の入力信号を指示する場合にはローレベルに対応する信号を出力するＣＰＵと、
上記映像処理部の前段に配設されるバッファ回路であって、上記パソコン信号を受け付けるための入力端子から第一の入力ポートを介して上記パソコン信号の水平同期信号を入力するとともに当該入力した水平同期信号を第一のアンプで増幅し、かつ、上記ＣＰＵが出力する論理レベルを第二の入力ポートを介して入力するとともに当該入力した論理レベルを第二のアンプで増幅し、当該論理レベルが所定のハイレベルである場合にのみ上記入力した水平同期信号を第一の出力ポートを介して後段の上記映像処理部に対して出力するバッファ回路と、
を備えることを特徴とするテレビジョン。
【発明の詳細な説明】
【技術分野】
【０００１】
本発明は、テレビジョンに関する。
【背景技術】
【０００２】
外部のパーソナルコンピュータからの入力信号（以下、パソコン信号あるいはＰＣ信号と表記。）を始めとして、ビデオ入力信号、デジタル・アナログ放送信号、ＨＤＭＩ信号などを各入力系統を介して入力し、これらを切換えて表示可能なテレビジョンが知られている。
【０００３】
ここで、テレビ信号検出手段ではテレビ信号の同期信号を検出してＨレベルの信号を出力し、パソコン信号検出手段ではパソコン信号の同期信号を検出してＨレベルの信号を出力するようにし、両検出手段が出力する信号をマイコンで判定して入力切換手段と画像表示手段とを制御することにより、テレビ信号入力モードとパソコン信号入力モードとを自動的に切換えるディスプレイ装置が知られている（特許文献１参照。）。
また、リモコン等によってテレビジョン受信機の入力モードを切換えようとするユーザのリモコン等の操作が制御マイコンに伝わり、制御マイコンは信号検出回路を通して複数の外部入力端子の入力信号の有無の情報を得て、入力信号の無い外部入力に関してはスキップし、入力信号の存在する外部入力のみを順次切換えるテレビジョン受信機が知られている（特許文献２参照。）。
【先行技術文献】
【特許文献】
【０００４】
【特許文献１】特開平８‐３０２４７号公報
【特許文献２】特開２００６‐２５４０３３号公報
【発明の概要】
【発明が解決しようとする課題】
【０００５】
上記のような各入力系統を介してＰＣ信号を含む複数種類の入力を受け付け可能なテレビジョンにおいては、ＰＣ信号の入力を選択するモード（ＰＣ入力モード）以外の入力モード（例えば、アナログ放送信号の入力を選択するモード）の際に、ＰＣ信号が映像処理回路内で干渉して、画面上にＰＣ信号にかかる映像がノイズとして混ざって表示されてしまうことがあった。また上記文献は、このようなＰＣ信号非選択時のＰＣ信号の干渉を解決できるものではない。
【０００６】
本発明は上記課題を解決するためになされたものであり、ＰＣ信号以外の入力を選択しているときにおけるＰＣ信号の干渉による画質悪化を防止することが可能なテレビジョンを提供する。
【課題を解決するための手段】
【０００７】
本発明の態様の一つは、複数の入力系統を有し、各入力系統を介してパソコン信号を含む複数種類の入力信号を受け付け可能なテレビジョンにおいて、上記パソコン信号の同期信号を検知した場合に、上記パソコン信号をデコードする映像処理部と、出力する論理レベルを入力信号の切換指示に応じて異ならせる制御部であって、当該切換指示が上記パソコン信号を指示する場合と上記パソコン信号以外の入力信号を指示する場合とで出力する論理レベルを異ならせる制御部と、上記映像処理部の前段に配設されて、上記パソコン信号を受け付けるための入力端子から上記パソコン信号の同期信号を入力するとともに、上記制御部が出力する論理レベルを入力し、入力した論理レベルが上記パソコン信号に対応する論理レベルである場合にのみ上記入力した同期信号を後段の上記映像処理部に対して出力するバッファ回路と、を備える構成としてある。
【０００８】
上記構成によれば、切換指示によってパソコン信号以外の入力信号が指示された場合には、パソコン信号の同期信号を入力したバッファ回路は、後段の映像処理部に対して同期信号を出力しないため、映像処理部は同期信号を検知することができない。つまり、パソコン信号以外の入力信号が選択された場合には、映像処理部がパソコン信号をデコードすることがないため、パソコン信号にかかる映像がそのとき選択されている他の入力にかかる映像に干渉することがない。よって、上述した画質悪化が防止される。
【図面の簡単な説明】
【０００９】
【図１】テレビジョンの主要部を概略的に示す図である。
【図２】バッファ回路およびバッファ回路周辺の回路構成を例示する図である。
【図３】バッファ回路へ入力される制御信号の波形とバッファ回路から出力される水平同期信号の有無とを例示する図である。
【発明を実施するための形態】
【００１０】
本発明の実施形態として、例えば、複数の入力系統を有し、各入力系統を介してパソコン信号を含む複数種類の入力信号を受け付け可能なテレビジョンであって、所定の映像処理を行なう映像処理部と、映像処理部により生成された映像信号を記録するためのフレームメモリと、フレームメモリに記録された映像信号に基づいて液晶パネルを駆動するパネル駆動部と、パネル駆動部によって駆動されることにより映像信号に応じた映像を表示する上記液晶パネルとを備えるテレビジョンにおいて、上記パソコン信号の水平同期信号を検知した場合に、上記パソコン信号をデコードする上記映像処理部と、リモートコントローラの操作による入力信号の切換指示に応じて、出力する論理レベルを異ならせるＣＰＵであって、当該切換指示が上記パソコン信号を指示する場合にはハイレベルに対応する信号を出力し、当該切換指示が上記パソコン信号以外の入力信号を指示する場合にはローレベルに対応する信号を出力するＣＰＵと、上記映像処理部の前段に配設されるバッファ回路であって、上記パソコン信号を受け付けるための入力端子から第一の入力ポートを介して上記パソコン信号の水平同期信号を入力するとともに当該入力した水平同期信号を第一のアンプで増幅し、かつ、上記ＣＰＵが出力する論理レベルを第二の入力ポートを介して入力するとともに当該入力した論理レベルを第二のアンプで増幅し、当該論理レベルが所定のハイレベルである場合にのみ上記入力した水平同期信号を第一の出力ポートを介して後段の上記映像処理部に対して出力するバッファ回路と、を備える構成を採用することができる。
【００１１】
以下、図面を参照しながら本発明の実施形態を説明する。
図１は、本実施形態におけるテレビジョン１０の主要部を概略的に示している。テレビジョン１０は、マイクロコンピュータ１１、バッファ回路１２、映像処理部１３、フレームメモリ１４、パネル駆動部１５、液晶パネル１６等を構成の一部として含む。むろん、テレビジョン１０は、図１に示す構成以外にも、チューナ回路や、電源回路や、音声処理回路や、スピーカなど、テレビジョンとして機能するために必要とされる公知の各種構成を備えることが可能である。図１では、鎖線で囲って示すように、映像処理部１３、フレームメモリ１４、パネル駆動部１５は１チップＩＣ化されている。映像処理部１３は、入力された信号に対してデコード等の所定の映像処理を行なって映像信号を生成し、生成した映像信号をフレームメモリ１４に記録する。パネル駆動部１５は、フレームメモリ１４に記録された映像信号に基づいて液晶パネル１６を駆動することにより、映像信号に応じた映像を液晶パネル１６に表示させる。
【００１２】
映像処理部１３には、複数の入力系統１７ａ，１７ｂ，１７ｃ，１７ｄ，１７ｅ…が接続されており、各入力系統からは、ビデオ入力信号、ＰＣ信号、選局されたアナログ放送信号、選局されたデジタル放送信号（トランスポートストリーム）、ＨＤＭＩ信号…など複数種類の入力信号が入力される。入力系統からの入力信号がアナログ信号である場合には、かかるアナログ信号は１チップＩＣ内のＡ／Ｄ変換回路（不図示）によってアナログデジタル変換された上で映像処理部１３に入力される。
【００１３】
マイクロコンピュータ１１は、ＣＰＵ１１ａ、ＲＯＭ１１ｂ、ＲＡＭ１１ｃを有する。ＣＰＵ１１ａは、ＲＯＭ１１ｂに記憶された所定のプログラムを、ＲＡＭ１１ｃをワークエリアとして利用して実行することにより、映像処理部１３を始めとしてテレビジョン１０の各部を制御する。ＣＰＵ１１ａは、リモートコントロールインターフェイス（リモコンＩ／Ｆ）１８と接続しており、ユーザが操作するテレビジョン外部のリモートコントローラ（リモコン）１９から送信される赤外線信号による指示をリモコンＩ／Ｆ１８を介して受け付ける。ユーザは、リモコン１９を操作することで、入力系統の切換を指示することができ、ＣＰＵ１１ａは、リモコン１９からの入力系統の切換指示によって指示された入力系統にかかる信号を処理対象として映像処理部１３に映像処理等を実行させる。
【００１４】
バッファ回路１２は、映像処理部１３の前段位置であって、ＰＣ信号を外部のＰＣから入力するための入力端子１７ｃ１と映像処理部１３とを接続する入力系統１７ｃの途中に配設されている。バッファ回路１２には、ＰＣ信号に含まれる水平同期信号が少なくとも入力されるようになっている。なおＰＣ信号に含まれるその他の信号（垂直同期信号やＲＧＢ信号）は、図示しない経路によって、入力端子１７ｃ１からバッファ回路１２を経由せずに映像処理部１３に入力されている。
【００１５】
図２は、バッファ回路１２およびバッファ回路１２周辺の回路構成を例示している。バッファ回路１２は、第一の入力ポート１２ａ、第二の入力ポート１２ｂ、第一の出力ポート１２ｃを有する。第一の入力ポート１２ａは抵抗Ｒ１を介して入力端子１７ｃ１と接続しており、第一の入力ポート１２ａにはＰＣ信号の水平同期信号が入力される。第二の入力ポート１２ｂは抵抗Ｒ２を介してマイクロコンピュータ１１と接続しており、第二の入力ポート１２ｂにはＣＰＵ１１ａが出力する制御信号が入力される。ここでいう制御信号とは、ハイ（Ｈ）またはロー（Ｌ）の論理レベルを意味する。その他、バッファ回路１２では、ポート１２ｆは、５Ｖの電源と接続しており、ポート１２ｇはグラウンドに接続している。
【００１６】
ＣＰＵ１１ａは、リモコンＩ／Ｆ１８を介して受け付けた入力系統の切換指示に応じて、出力する論理レベルを切り換える。本実施形態では、ＣＰＵ１１ａは、ＰＣ信号への切換指示を受け付けた場合（ユーザがＰＣ入力モードを選択した場合）に論理レベルとしてＨレベルに対応する信号を出力し、一方、ＰＣ信号以外の入力系統にかかる入力信号（ビデオ入力信号、選局されたアナログ放送信号、選局されたデジタル放送信号、ＨＤＭＩ信号…など）への切換指示を受け付けた場合に論理レベルとしてＬレベルに対応する信号を出力する。バッファ回路１２内では、第一の入力ポート１２ａから入力された水平同期信号は第一のアンプ１２ｄで適宜増幅され、第二の入力ポート１２ｂから入力された論理レベルを示す信号は第二のアンプ１２ｅで適宜増幅される。そして、バッファ回路１２は、かかる論理レベルがＨレベルである場合（論理レベルを示す信号（電圧）が所定のしきい値以上である場合）にのみ、上記入力した水平同期信号を第一の出力ポート１２ｃを介して後段の映像処理部１３に対して出力する機能を有する。
【００１７】
図３は、本実施形態においてバッファ回路１２の第二の入力ポート１２ｂへ入力される制御信号（論理レベル）の波形と、バッファ回路１２の第一の出力ポート１２ｃから出力される水平同期信号の有無とを、例示している。図に示すように、論理レベルがＨレベルであるときに、第一の出力ポート１２ｃから水平同期信号が出力されていることが判る。
【００１８】
映像処理部１３は、第一の出力ポート１２ｃから出力されたＰＣ信号の水平同期信号を検知した場合に限り、ＰＣ信号の入力有りと判定し、入力端子１７ｃ１から入力するＰＣ信号をデコードしてそのＲＧＢ信号（映像信号）を取得する。つまり、ＣＰＵ１１ａがＨレベルの信号をバッファ回路１２に出力した場合に、映像処理部１３は水平同期信号を検知してＰＣ信号をデコードすることができ、ＣＰＵ１１ａがＬレベルの信号をバッファ回路１２に出力した場合には、映像処理部１３は水平同期信号を検知できないためＰＣ信号をデコードすることはない。このように本実施形態によれば、ユーザがＰＣ信号以外の入力系統にかかる入力信号への切換を選択した場合には、ＰＣ信号の入力が入力端子１７ｃ１に対してある場合であっても映像処理部１３がＰＣ信号をデコードすることがないため、ＰＣ信号にかかる映像（ＲＧＢ信号）がそのとき選択されている他の入力信号にかかる映像に干渉することがない。よって、ＰＣ信号以外の入力を選択しているときにおけるＰＣ信号の干渉による画質悪化を防止することができる。
【００１９】
なお従来は、入力がアナログ放送信号に切換えられて、アナログ放送信号にかかる映像を映像処理部１３がデコードするときに、特にＰＣ信号の干渉が見られていた。本実施形態を採用することで、ユーザがアナログ放送信号を選択して視聴する場合にもＰＣ信号の映像が画面に入り込んで画質が低下することを、確実に防止することができる。
【符号の説明】
【００２０】
１０…テレビジョン、１１…マイクロコンピュータ、１１ａ…ＣＰＵ、１１ｂ…ＲＯＭ、１１ｃ…ＲＡＭ、１２…バッファ回路、１２ａ…第一の入力ポート、１２ｂ…第二の入力ポート、１２ｃ…第一の出力ポート、１２ｄ…第一のアンプ、１２ｅ…第二のアンプ、１３…映像処理部、１４…フレームメモリ、１５…パネル駆動部、１６…液晶パネル、１７ａ，１７ｂ，１７ｃ，１７ｄ，１７ｅ…入力系統、１７ｃ１…入力端子、１８…リモコンＩ／Ｆ、１９…リモコン
【図１】
2012004980.tif 000003
【図２】
2012004980.tif 000004
【図３】
2012004980.tif 000005